(57)【要約】【課題】テレビジョン受像機などの映像表示装置の電源の立ち上がりを検知した場合に，自動的に自己の電源を立ち上げて異常診断を行い，その診断結果を前記映像表示装置に表示させることのできる電気機器及び該電気機器と該映像表示装置とを備えて構成される映像表示システムを提供すること。【解決手段】電気機器Ｙは，テレビジョン受像機Ｘの電源の立ち上がりを検知した場合に（Ｓ１のＹｅｓ側），当該電気機器Ｙの電源を立ち上げ（Ｓ２），その後，当該電気機器Ｙの異常の有無を診断し（Ｓ３），その診断結果を前記テレビジョン受像機Ｘの映像表示部５に表示させるための処理（Ｓ６）を実行する。【選択図】図２
2008092132.tif 000002
【特許請求の範囲】
【請求項１】
映像を表示する映像表示手段を有する映像表示装置にＨＤＭＩ規格に準拠した方式で通信を行う電気機器であって，
前記映像表示装置の電源の立ち上がりを検知する電源立上検知手段と，前記電源立上検知手段により前記映像表示装置の電源の立ち上がりが検知された場合に当該電気機器の電源を立ち上げる電源立上制御手段と，前記電源立上制御手段により電源が立ち上げられた後，当該電気機器の異常の有無を診断する異常診断手段と，前記異常診断手段による診断結果を前記映像表示装置の前記映像表示手段に表示させる診断結果表示手段と，を備えてなることを特徴とする電気機器。
【請求項２】
前記診断結果表示手段が，ＨＤＭＩ規格のＣＥＣ規格で規定された通信プロトコルのＯＳＤ表示コマンドを用いて前記診断結果を前記映像表示装置に送信することにより，該映像表示装置の前記映像表示手段に前記診断結果を表示させるものである請求項１に記載の電気機器。
【請求項３】
前記診断結果表示手段により前記診断結果が前記映像表示手段に表示された後，当該電気機器の電源を立ち下げる電源立下手段を更に備えてなる請求項１又は２のいずれかに記載の電気機器。
【請求項４】
映像を表示する映像表示手段を有する映像表示装置と，該映像表示装置とＨＤＭＩ規格に準拠した方式で通信を行う一又は複数の電気機器と，を備えてなる映像表示システムであって，
前記電気機器が，前記映像表示装置の電源の立ち上がりを検知する電源立上検知手段と，前記電源立上検知手段により前記映像表示装置の電源の立ち上がりが検知された場合に当該電気機器の電源を立ち上げる電源立上制御手段と，前記電源立上制御手段により電源が立ち上げられた後，当該電気機器の異常の有無を診断する異常診断手段と，前記異常診断手段による診断結果を前記映像表示装置に通知する診断結果通知手段と，を備えてなり，
前記映像表示装置が，前記電気機器から受信された前記診断結果を前記映像表示手段に表示させる診断結果表示手段を備えてなることを特徴とする映像表示システム。
【発明の詳細な説明】
【技術分野】
【０００１】
本発明は，テレビジョン放送などの映像を表示する映像表示装置と，該映像表示装置にＨＤＭＩ（High Definition Multimedia Interface）規格に準拠した方式で通信可能に接続された一又は複数の電気機器とを備えてなる映像表示システムに関し，特に，映像表示システムにおける電気機器の異常診断機能に関するものである。
【背景技術】
【０００２】
従来から，テレビジョン放送など映像を表示するテレビジョン受像機やパーソナルコンピュータ（ＰＣ）などの映像表示装置と，該映像表示装置に接続された一又は複数の電気機器とを備えてなる映像表示システムにおいて，前記電気機器の異常を検知して前記映像表示装置に表示する技術が知られている。前記電気機器は，例えばハードディスクレコーダ（ＰＶＲ）やＤＶＤレコーダ，セットトップボックス（ＳＴＢ），オーディオ機器などである。
例えば，特許文献１では，ＰＣと複数のＡＶ機器とがＩＥＥＥ１３９４規格に準拠した方式で接続されたシステムにおいて，該ＰＣが，各ＡＶ機器に稼動状態を問い合わせ，この問い合わせに対するＡＶ機器からの回答に基づいて異常の有無を判定する構成が開示されている。
【特許文献１】特開平９−２６１５５０号公報
【発明の開示】
【発明が解決しようとする課題】
【０００３】
しかしながら，前記特許文献１の技術では，前記ＰＣから稼動状態の問い合わせが行われたときに，前記ＡＶ機器の電源が入った状態でなければ，該ＡＶ機器からの回答が得られず，異常の有無を判定することができないという問題がある。そのため，前記ＰＣによる問い合わせが行われる前に，前記ＡＶ機器各々の電源を入れておく必要があるが，多数のＡＶ機器が接続されている場合には，それらの電源を入れるという煩雑な作業がユーザに強いられる。一方，前記ＡＶ機器各々の電源を常時入れておくことは省電力の観点から好ましくない。
従って，本発明は上記事情に鑑みてなされたものであり，その目的とするところは，テレビジョン受像機などの映像表示装置の電源の立ち上がりを検知した場合に，自動的に自己の電源を立ち上げて異常診断を行い，その診断結果を前記映像表示装置に表示させることのできる電気機器及び該電気機器と該映像表示装置とを備えて構成される映像表示システムを提供することにある。
【課題を解決するための手段】
【０００４】
上記目的を達成するために本発明は，映像を表示する映像表示手段を有する映像表示装置にＨＤＭＩ（High Definition Multimedia Interface）規格に準拠した方式で通信を行う電気機器に適用されるものであって，以下の（１−１）〜（１−４）に示す各構成要素を備えた電気機器として構成されるものである。なお，前記映像表示装置は，例えばテレビジョン受像機やパーソナルコンピュータなどであり，前記電気機器は，例えばハードディスクレコーダ（ＰＶＲ）やＤＶＤレコーダ，セットトップボックス（ＳＴＢ），オーディオ機器などである。
（１−１）前記映像表示装置の電源の立ち上がりを検知する電源立上検知手段。
（１−２）前記電源立上検知手段により前記映像表示装置の電源の立ち上がりが検知された場合に当該電気機器の電源を立ち上げる電源立上制御手段。
（１−３）前記電源立上制御手段により電源が立ち上げられた後，当該電気機器の異常の有無を診断する異常診断手段。
（１−４）前記異常診断手段による診断結果を前記映像表示装置の前記映像表示手段に表示させる診断結果表示手段。
ここで，前記診断結果表示手段は，例えば，ＨＤＭＩ規格のＣＥＣ規格で規定された通信プロトコルのＯＳＤ表示コマンドを用いて前記診断結果を前記映像表示装置に送信することにより，該映像表示装置の前記映像表示手段に前記診断結果を表示させるものである。
【０００５】
以上に示す構成を備えた前記電気機器は，前記映像表示装置の電源の立ち上がりを検知した場合に，当該電気機器の電源を立ち上げ，その後，当該電気機器の異常の有無を診断し，その診断結果を前記映像表示装置の前記映像表示手段に表示させるための処理を実行する。即ち，前記電気機器の電源が入っていない状態であっても，前記映像表示装置の電源の立ち上げに連動して該電気機器の電源が立ち上がって異常診断が行われ，その診断結果を前記映像表示装置に表示させることができる。
したがって，ユーザは，前記映像表示装置の電源を立ち上げるだけで，該映像表示装置の前記映像表示手段に表示される前記電気機器各々の診断結果を参照することにより，該電気機器各々の異常の有無などを容易に知得することができる。しかも，前記電気機器各々の電源が自動的に立ち上がるため，該電気機器の電源は立ち下げた状態で待機させておけばよいため省電力に好適である。
このとき，前記診断結果表示手段により前記診断結果が前記映像表示手段に表示された後，当該電気機器の電源を立ち下げるように構成しておけば，前記異常診断にかかる電力消費を最小限に抑制することができる。
【０００６】
また，本発明は，前記電気機器と前記映像表示装置とを備えた映像表示システムとして捉えることも可能である。具体的には，映像を表示する映像表示手段を有する映像表示装置と，該映像表示装置とＨＤＭＩ規格に準拠した方式で通信を行う一又は複数の電気機器と，を備えてなる映像表示システムに適用されるものであって，前記電気機器が，前記電源立上検知手段，前記電源立上制御手段，前記異常診断手段及び該異常診断手段による診断結果を前記映像表示装置に通知する診断結果通知手段を備えてなり，前記映像表示装置が，前記電気機器から受信された前記診断結果を前記映像表示手段に表示させる診断結果表示手段を備えてなることを特徴とする映像表示システムとして構成される。
このように構成された映像表示システムでは，前記電気機器各々において前記映像表示装置の電源の立ち上がりが検知された場合に，当該電気機器の電源が立ち上げられ，その後，当該電気機器の異常の有無が診断されて，その診断結果が前記映像表示装置に通知されることにより，該映像表示装置の前記映像表示手段に前記診断結果が表示される。
【発明の効果】
【０００７】
本発明によれば，前記電気機器において，前記映像表示装置の電源の立ち上がりが検知された場合に，当該電気機器の電源が立ち上げられ，その後，当該電気機器の異常の有無が診断されて，その診断結果が前記映像表示装置の前記映像表示手段に表示される。
したがって，ユーザは，前記映像表示装置の電源を立ち上げるだけで，該映像表示装置の前記映像表示手段に表示される前記電気機器各々の診断結果を参照することにより，該電気機器各々の異常の有無などを容易に知得することができる。しかも，前記電気機器各々の電源が自動的に立ち上がるため，該電気機器の電源は立ち下げた状態で待機させておけばよいため省電力に好適である。
また，前記診断結果表示手段により前記診断結果が前記映像表示手段に表示された後，当該電気機器の電源を立ち下げるように構成しておくことにより，前記異常診断にかかる電力消費を最小限に抑制することができる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る映像表示システムＺの概略構成を示すブロック図，図２は前記映像表示システムＺにおいて実行される異常診断処理の手順の一例を説明するためのフローチャート，図３は異常診断処理における診断結果の表示例を示す図である。
【０００９】
まず，図１に示すブロック図を用いて，本発明の実施形態に係る映像表示システムＺの構成について説明する。
前記映像表示システムＺは，映像を表示する映像表示部５（映像表示手段の一例）を備えるテレビジョン受像機Ｘ（映像表示装置の一例）と，後述する異常診断機能（異常診断手段の一例）を備える複数（図１では２台）の電気機器Ｙとが，ＨＤＭＩ規格に準拠した信号伝送手段であるＨＤＭＩインターフェースＷによって通信可能に構成されたシステムである。
前記ＨＤＭＩインターフェースＷは，映像信号及び音声信号（いずれもデジタル信号）を伝送するＴＭＤＳライン４１と，ＨＤＭＩ規格のオプション規格であるＣＥＣ規格に準拠したＣＥＣライン４２を含んでいる。なお，前記ＴＭＤＳライン４１は，複数本の信号ラインにより構成され，前記ＴＭＤＳライン４１及び前記ＣＥＣライン４２は，見かけ上１本のＨＤＭＩケーブル４０として構成されている。
前記映像表示システムＺの特徴は，前記テレビジョン受像機Ｘの電源が立ち上げられた場合に，前記電気機器Ｙ各々の電源が自動的に立ち上げられて異常診断が行われ，その診断結果が前記テレビジョン受像機Ｘに表示される点にある。その詳細については後述する。
【００１０】
［テレビジョン受像機Ｘ］
本発明の実施形態に係る前記テレビジョン受像機Ｘは，図１に示すように，チューナ１，２つのＨＤＭＩ受信部２ｘａ，２ｙａ，ＣＥＣインターフェース２ｘｂ，映像切替回路３，映像処理回路４，映像表示部５，制御回路６，リモコンインターフェース（Ｉ／Ｆ）回路７，リモコン８，サブＭＰＵ９，音声切替回路１０，音声処理回路１１，アンプ１２及びスピーカ１３等を具備して構成されている。なお，前記テレビジョン受像機Ｘは，映像表示装置の一例であって，他に，パーソナルコンピュータなども本発明に係る映像表示装置に該当する。
【００１１】
前記チューナ１は，地上波放送信号やＢＳ衛星放送信号等の放送信号から，前記制御回路６により指示される放送チャンネルの信号を抽出（選局）するとともに，その抽出信号の検波によって映像信号及び音声信号を取り出し，その映像信号及び音声信号の各々を前記映像切替回路３及び前記音声切替回路１０各々へ伝送するものである。
また，前記ＨＤＭＩ受信部２ｘａ，２ｙａ（図中，ＨＤＭＩ−ＲＸと表記）は，ＨＤＭＩ規格に準拠した信号伝送インターフェースである。このＨＤＭＩ受信部２ｘａ，２ｙａは，前記ＴＭＤＳライン４１を通じて，外部装置（ここでは，電気機器Ｙ）からベースバンド方式で映像信号及び音声信号を入力し，それらを前記映像切替回路３及び前記音声切替回路１０各々へ伝送する。
前記ＣＥＣインターフェース２ｘｂは，ＨＤＭＩ規格におけるＣＥＣ規格に準拠した信号伝送インターフェースである。このＣＥＣインターフェース２ｘｂは，前記ＣＥＣライン４２を通じて，外部装置（ここでは，電気機器Ｙ）との間で情報の送受信を行う。前記ＣＥＣインターフェース２ｘｂの受信情報の直接の伝送先及び送信情報の直接の供給元は，前記サブＭＰＵ９である。
図１に示す例では，前記テレビジョン受像機Ｘは，２台の前記電気機器Ｙ（外部装置）それぞれに対応する２つの前記ＨＤＭＩ受信部２ｘａ，２ｙａを備えている。また，前記ＣＥＣインターフェース２ｘｂは，２台の前記電気機器Ｙに対して１つだけ設けられている。
前記映像切替回路３は，前記チューナ１及び前記ＨＤＭＩ受信部２ｘａ，２ｙａからの映像信号を入力し，それらの映像信号のうちの任意の１つの映像信号を前記制御回路６からの指示に従って選択して出力するものである。
前記映像処理回路４は，前記映像切替回路３から出力された映像信号に対して各種信号処理を行うものである。例えば，前記映像処理回路４は，前記映像切替回路３からの映像信号に，前記制御回路６から指定された情報の映像をスーパーインポーズする（重ね合わせる）ＯＳＤ機能を備えている。
前記映像表示部５は，液晶パネル及び液晶ドライバを備えた液晶表示部などにより構成され，前記映像処理回路４から出力される映像信号に基づく映像を表示するものである。
【００１２】
前記音声切替回路１０は，前記チューナ１からの音声信号及び前記ＨＤＭＩ受信部２ｘａ，２ｙａからの音声信号が入力され，それらの音声信号のうちの任意の１つの音声信号を，前記制御回路６からの指示に従って前記音声処理回路１１に出力するものである。
前記音声処理回路１１は，前記音声切替回路１０から出力された信号に対し，イコライズ処理やＤ／Ａ変換処理等を行うものである。
前記アンプ１２は，前記音声処理回路１１による処理後の音声信号を，前記制御回路６からの指示に従って増幅或いは減衰させる処理（ボリューム調節処理）を行い，前記スピーカ１３に出力するものである。前記スピーカ１３では，前記音声信号に基づく音声が出力（再生）される。
【００１３】
前記制御回路６は，演算手段であるＭＰＵ６ａ，そのＭＰＵ６ａによって実行される制御プログラムが予め格納される記憶手段であるＲＯＭ６ｂ（ＥＰＲＯＭ），前記ＭＰＵ６ａが実行する処理において読み書きされる各種情報を記憶するＥＥＰＲＯＭ６ｃ等を備え，当該テレビジョン受像機Ｘ全体を制御するものである。以下に示す前記制御回路６の処理や機能は，前記ＭＰＵ６ａが前記ＲＯＭ６ｂに記憶されたプログラムを実行することによって実現される。
前記リモコン８は，当該テレビジョン受像機Ｘの動作の制御用の無線信号（例えば，赤外線信号）を出力するリモート操作器であり，不図示の操作入力部や無線信号出力回路等を備えている。前記操作入力部は，チャンネル選択キーや音量調節キーなど，情報入力のための操作部であり，その操作内容に応じた信号が前記無線信号出力回路に伝送される。また，前記無線信号出力回路は，前記操作入力部から伝送されてくる信号（即ち，テレビジョン受像機Ｘの動作の制御信号）を，無線信号（例えば，赤外線信号）に変換し，当該リモコン８からテレビ本体側へ無線伝送するものである。
一方，前記リモコンインターフェース回路７は，前記リモコン８から伝送される無線信号（赤外線信号等）を受信し，これを電気信号に変換することにより，前記リモコン８から伝送される各種情報を取得するとともに，その取得情報を前記サブＭＰＵ９に伝送するものである。
前記サブＭＰＵ９は，前記制御回路６と，前記リモコンインターフェース回路７及び前記ＣＥＣインターフェース２ｘｂとの間で情報伝送を中継する処理を実行するマイクロコンピュータである。
【００１４】
また，前記サブＭＰＵ９は，前記ＣＥＣインターフェース２ｘｂから予め規定されたコマンドを受信した場合に，そのコマンドの種別に対応する処理を前記制御回路６に実行させるものである。例えば，前記サブＭＰＵ９は，前記電気機器ＹからＯＳＤ表示コマンドが受信された場合には，該ＯＳＤ表示コマンドと共に送信されたデータを前記映像表示部５にＯＳＤ表示させるための処理を前記制御回路６に実行させる。なお，前記ＯＳＤ表示コマンドは，ＨＤＭＩ規格におけるＣＥＣ規格の通信プロトコルとして標準で規定されたコマンドである。
【００１５】
また，前記テレビジョン受像機Ｘにおいて，前記ＨＤＭＩインターフェースＷの一部を構成する前記ＨＤＭＩ受信部２ｘａ，２ｙａ及び前記ＣＥＣインターフェース２ｘｂと，前記サブＭＰＵ９と，前記リモコンインターフェース回路７とは，当該テレビジョン受像機Ｘが商用電源に接続されている状態では，常時通電された状態となっている。一方，前記チューナ１や前記制御回路６等は，当該テレビジョン受像機Ｘが商用電源に接続されている状態において，それらへの通電がなされた稼動状態（電源立ち上げられた状態）と，それらへの通電が遮断された待機状態（電源立ち下げられた状態）との２状態に切り替えられる。その２状態の切り替えは，前記サブＭＰＵ９が不図示の通電スイッチの切り替え制御を行うことにより実現される。
例えば，前記サブＭＰＵ９は，当該テレビジョン受像機Ｘが前記待機状態である場合に，前記リモコン８から前記リモコンインターフェース回路７を通じて電源キーの操作信号が受信されたこと，或いは前記電気機器Ｙから前記ＣＥＣインターフェース２ｘｂを通じて自装置宛の何らかのコマンドが受信されたことを検知すると，前記通電スイッチをＯＦＦ状態からＯＮ状態へ切り替えることにより，当該テレビジョン受像機Ｘを前記待機状態から前記稼動状態へ切り替える。
一方，前記サブＭＰＵ９は，当該テレビジョン受像機Ｘが前記稼動状態である場合に，前記リモコン８から前記リモコンインターフェース回路７を通じて電源キーの操作信号が受信されたこと，或いは前記電気機器Ｙから前記ＣＥＣインターフェース２ｘｂを通じて停止コマンドが受信されたことを検知すると，前記通電スイッチをＯＮ状態からＯＦＦ状態へ切り替えることにより，当該テレビジョン受像機Ｘを前記稼動状態から前記待機状態へ切り替える。
【００１６】
［電気機器Ｙ］
本発明の実施形態に係る前記電気機器Ｙは，図１に示すように，チューナ２１，録画・再生回路２２，ＨＤＤ２３（ハードディスクドライブ），ＨＤＭＩ送信部２５ａ，ＣＥＣインターフェース２５ｂ，制御回路２４，リモコンインターフェース回路２６，リモコン２７及びサブＭＰＵ２８等を具備して構成されたハードディスクレコーダである。なお，本実施の形態では，前記電気機器Ｙがハードディスクレコーダである場合について説明するが，他に，ＨＤＭＩ規格に準拠した信号伝送手段で接続されるＤＶＤレコーダやセットトップボックス，オーディオ機器，その他の電化製品などが，本発明に係る電気機器に該当する。
ここで，前記チューナ２１，前記リモコンインターフェース回路２６，前記リモコン２７，前記サブＭＰＵ２８は，それぞれ前記テレビジョン受像機Ｘにおける前記チューナ１，前記リモコンインターフェース回路７，前記リモコン８及び前記サブＭＰＵ９と同様のものである。
【００１７】
前記録画・再生回路２２は，放送番組の録画処理及び録画番組の再生処理を実行するものである。即ち，前記録画・再生回路２２は，前記チューナ２１により抽出された番組の放送信号（映像信号及び音声信号）を圧縮符号化して前記ＨＤＤ２３に記録する録画処理を実行する。さらに，前記録画・再生回路２２は，前記ＨＤＤ２３に録画（記録）された放送番組のデータを復号化しながら前記ＨＤＭＩ送信部２５ａを通じて外部出力する再生処理を実行する。
さらに，前記録画・再生回路２２は，前記チューナ２１により抽出された番組の放送信号から，そこに含まれるＥＰＧ情報（電子番組ガイド情報）を抽出して前記ＨＤＤ２３に記録するＥＰＧ取得機能も備えている。
前記ＨＤＭＩ送信部２５ａ（図中，ＨＤＭＩ−ＴＸと表記）は，ＨＤＭＩ規格に準拠した信号伝送インターフェースである。このＨＤＭＩ送信部２５ａは，前記ＴＭＤＳライン４１を通じて，外部装置（ここでは，テレビジョン受像機Ｘ）に対し，ベースバンド方式で映像信号及び音声信号を出力する。
前記ＣＥＣインターフェース２５ｂは，前記テレビジョン受像機Ｘにおける前記ＣＥＣインターフェース２ｘｂと同様に，ＨＤＭＩ規格におけるＣＥＣ規格に準拠した信号伝送インターフェースである。このＣＥＣインターフェース２５ｂは，前記ＣＥＣライン４２を通じて，外部装置（ここでは，テレビジョン受像機Ｘ）との間で情報の送受信を行う。前記ＣＥＣインターフェース２５ｂの受信情報の直接の伝送先及び送信情報の直接の供給元は，前記サブＭＰＵ２８である。
【００１８】
また，前記電気機器Ｙにおいて，前記ＨＤＭＩインターフェースＷの一部を構成する前記ＨＤＭＩ送信部２５ａ及び前記ＣＥＣインターフェース２５ｂと，前記サブＭＰＵ２８と，前記リモコンインターフェース回路２６とは，当該電気機器Ｙが商用電源に接続されている状態では，常時通電された状態となっている。一方，前記チューナ２１や前記制御回路２４，前記録画・再生回路２２及び前記ＨＤＤ２３等は，当該電気機器Ｙが商用電源に接続されている状態において，それらへの通電がなされた稼動状態（電源立ち上げられた状態）と，それらへの通電が遮断された待機状態（電源立ち下げられた状態）との２状態に切り替えられる。その２状態の切り替えは，前記サブＭＰＵ２８が不図示の通電スイッチの切り替え制御を行うことにより実現される。
例えば，前記サブＭＰＵ２８は，当該電気機器Ｙが前記待機状態である場合に，前記リモコン２７から前記リモコンインターフェース回路２６を通じて電源キーの操作信号が受信されたこと，或いは前記テレビジョン受像機Ｘから前記ＣＥＣインターフェース２５ｂを通じて自装置宛の何らかのコマンドが受信されたことを検知すると，前記通電スイッチをＯＦＦ状態からＯＮ状態へ切り替えることにより，当該電気機器Ｙを前記待機状態から前記稼動状態へ切り替える。また，前記サブＭＰＵ２８は，後述するように，前記テレビジョン受像機Ｘの電源が立ち上げられた場合にも，該電気機器Ｙを前記待機状態から前記稼動状態へ切り替える，即ち該電機機器Ｙの電源を立ち上げる。
一方，前記サブＭＰＵ２８は，当該電気機器Ｙが前記稼動状態である場合に，前記リモコン２７から前記リモコンインターフェース回路２６を通じて電源キーの操作信号が受信されたこと，或いは前記テレビジョン受像機Ｘから前記ＣＥＣインターフェース２５ｂを通じて停止コマンドが受信されたことを検知すると，前記通電スイッチをＯＮ状態からＯＦＦ状態へ切り替えることにより，当該電気機器Ｙを前記稼動状態から前記待機状態へ切り替える。また，前記サブＭＰＵ２８は，後述するように，前記電気機器Ｙの異常診断の診断結果を前記テレビジョン受像機Ｘに通知した後にも，該電気機器Ｙを前記稼動状態から前記待機状態へ切り替える，即ち該電気機器Ｙの電源を立ち下げる。
【００１９】
また，前記サブＭＰＵ２８は，前記ＣＥＣインターフェース２５ｂを介して接続された前記テレビジョン受像機Ｘの電源の立ち上がりを，該ＣＥＣインターフェース２５ｂを通じて検知する電源立上検知機能を有している。ここに，かかる電源立上検知機能を具現するときの前記サブＭＰＵ２８が電源立上検知手段に相当する。
具体的には，前記テレビジョン受像機Ｘの電源立ち上げ時に該テレビジョン受像機Ｘによって実行されるブロードキャストにより該テレビジョン受像機Ｘから信号を受信したことで該テレビジョン受像機Ｘの電源の立ち上がりを検知する。なお，前記ブロードキャストは，前記電気機器Ｙ各々の物理アドレスや論理アドレスの割り付けを行うために実行される。
【００２０】
前記制御回路２４は，演算手段であるＭＰＵ２４ａ，そのＭＰＵ２４ａによって実行される制御プログラムが予め格納される記憶手段であるＲＯＭ２４ｂ（ＥＰＲＯＭ），前記ＭＰＵ２４ａが実行する処理において読み書きされる各種情報を記憶するＥＥＰＲＯＭ２４ｃ等を備え，当該電気機器Ｙ全体を制御するものである。以下に示す前記制御回路２４の処理や機能は，前記ＭＰＵ２４ａが前記ＲＯＭ２４ｂに記憶されたプログラムを実行することによって実現される。
【００２１】
また，前記電気機器Ｙは，該電気機器Ｙにおける異常の有無を診断する異常診断機能（異常診断手段に相当）を有している。
この異常診断機能は，例えば，当該電気機器Ｙに設けられた各種の電気基板（不図示）各々に，電源電圧値が予め設定された基準電圧値以下であるか否かを判定し，基準電圧以下である場合に，その基板に異常が発生していると判断してその旨を前記制御回路２４に通知する異常診断回路（異常診断手段の一例）を設けておくことにより具現される。
また，前記電気機器Ｙに設けられた不図示の電源ユニットの出力電圧を減衰器などを介して前記制御回路２４に入力させることにより，該制御回路２４において異常の有無を診断することも考えられる。この場合は，前記制御回路２４が異常診断手段の一例である。もちろん，前記異常診断機能はこれらにかぎられず，周知の各種の異常診断機能を採用すればよい。
【００２２】
次に，図２に示すフローチャートを参照しつつ，前記映像表示システムＺにおいて前記電気機器Ｙによって実行される異常診断処理の手順について説明する。なお，図中に示すＳ１，Ｓ２，…は，処理手順（ステップ）番号を表す。
［ステップＳ１，Ｓ２］
まず，ステップＳ１では，前記サブＭＰＵ２８の前記電源立上検知機能によって，前記テレビジョン受像機Ｘの電源が立ち上がりが検知されたか否かが判断される。ここで，前記テレビジョン受像機Ｘの電源の立ち上がりが検知されていないと判断されている間は（Ｓ１のＮｏ側），前記ステップＳ１の処理が繰り返し実行される。一方，前記テレビジョン受像機Ｘの電源の立ち上がりが検知されたと判断されると（Ｓ１のＹｅｓ側），処理はステップＳ２に移行する。
ステップＳ２では，前記サブＭＰＵ２８によって，前記電気機器Ｙの電源が立ち上げられる，即ち前記電気機器Ｙが前記待機状態から前記稼動状態に切り替えられる。具体的には，前述したように前記通電スイッチがＯＦＦ状態からＯＮ状態に切り替えられる。これにより，前記電気機器Ｙでは，前記制御回路２４の動作が開始する。なお，前記電気機器Ｙの電源が既に立ち上げられている場合，即ち前記稼動状態である場合には，その状態が継続される。ここに，かかる処理を実行するときの前記サブＭＰＵ２８が電源立上制御手段に相当する。
このように，前記映像表示システムＺでは，前記テレビジョン受像機Ｘの電源の立ち上がりに連動して前記電気機器Ｙの電源が自動的に立ち上げられるため，該電気機器Ｙの電源が入っていない状態であっても，前記異常診断機能による異常診断（Ｓ３）を実行することが可能となる。そのため，前記電気機器Ｙを電源を切った状態で待機させておくことができ，省電力の観点から好適である。また，ユーザが前記電気機器Ｙ各々の電源を立ち上げるための操作を行う必要もない。
【００２３】
［ステップＳ３，Ｓ４］
そして，前記ステップＳ２で前記電気機器Ｙの電源が立ち上げられると，その後，ステップＳ３では，前記制御回路２４によって前記異常診断機能が起動され，該異常診断機能によって前記電気機器Ｙの異常診断が実行される。
次に，ステップＳ４では，前記制御回路２４によって，前記異常診断機能の異常診断により異常が検知されたか否かに応じて処理が分岐される。
具体的には，前記異常診断機能により前記電気機器Ｙに異常がないと診断された場合には（Ｓ４のＮｏ側），処理はステップＳ５に移行し，前記異常診断機能により前記電気機器Ｙに異常があると診断された場合には（Ｓ４のＹｅｓ側），処理はステップＳ６に移行する。
【００２４】
［ステップＳ５］
ステップＳ５では，前記制御回路２４によって，前記電気機器Ｙに異常がない旨を示す正常信号が診断結果として前記テレビジョン受像機Ｘに送信される。なお，異常がない場合には，前記テレビジョン受像機Ｘに対して診断結果を送信しないことも考えられる。
【００２５】
［ステップＳ６］
一方，ステップＳ６では，前記制御回路２４によって，前記電気機器Ｙに異常が生じている旨を示す異常情報が診断結果として前記テレビジョン受像機Ｘに送信される。このとき，前記制御回路２４は，ＨＤＭＩ規格におけるＣＥＣ規格で規定された通信プロトコルのＯＳＤ表示コマンドを用いて，前記ＣＥＣライン４２を通じて前記異常情報を送信する。なお，前記異常情報には，例えば異常発生箇所や異常の内容，その異常に対する処置方法などが含まれる。
これによって，前記テレビジョン受像機Ｘでは，前記異常情報及び前記ＯＳＤ表示コマンドが前記ＭＰＵ９で受信されるため，該サブＭＰＵ９から前記制御回路６に前記異常情報をＯＳＤ表示させるための指示が行われる。したがって，前記制御回路６では，前記異常情報を前記映像表示部５にＯＳＤ表示するための処理が実行され，該映像表示部５に前記異常情報が表示される。このように，前記テレビジョン受像機Ｘに前記異常情報及び前記ＯＳＤコマンドを送信することにより，該テレビジョン受像機Ｘの映像表示部５に該異常情報を表示させるときの前記制御回路２４が診断結果表示手段に相当する。
ここに，図３は，前記映像表示部５の前記異常情報の表示例を示している。このとき，図３に示すように，前記映像表示部５では，前記映像切替回路３から出力された前記チューナ１，前記ＨＤＭＩ受信部２ｘａ，２ｘｂのいずれかからの映像（図示するｖ０）と，前記異常情報（図示するｖ１）とが同時に表示される。
ここで，前記異常情報は，前記ＣＥＣライン４２を通じて送信されるものであるため，前記異常情報を送信している前記電気機器Ｙと異なる電気機器Ｙから前記ＴＭＤＳライン４１を通じて受信される映像を表示しながら前記異常情報を表示させることも可能である。なお，複数の前記電気機器Ｙで同時に異常が発生している場合には，複数の異常情報が受信されるため，その異常情報を並べてリスト表示することが考えられる。また，複数の前記電気機器Ｙ各々から受信される前記正常信号及び前記異常情報に基づいて該電気機器Ｙ全ての異常の有無をリスト表示することも考えられる。
このように，前記映像表示システムＺでは，ユーザは前記テレビジョン受像機Ｘの電源を立ち上げるだけで，該テレビジョン受像機Ｘの前記映像表示部５の表示を参照することにより，前記映像表示システムＺにおける前記電気機器Ｙ各々の異常の有無などを容易に知得することができる。
【００２６】
［ステップＳ７］
そして，前記ステップＳ５又は前記ステップＳ６において，前記テレビジョン受像機Ｘへの正常信号又は異常情報の送信が終了すると，前記制御回路２４は，その旨を前記サブＭＰＵ２８に通知する。これにより，前記サブＭＰＵ２８では，前記電気機器Ｙを前記稼動状態から前記待機状態へ切り替える，即ち該電気機器Ｙの電源を立ち下げるための処理が行われる。具体的には，前述したように前記通電スイッチがＯＮ状態からＯＦＦ状態に切り替えられる。ここに，かかる処理を実行するときの前記サブＭＰＵ２８が電源立下制御手段に相当する。
このように，前記映像表示システムＺでは，前記テレビジョン受像機Ｘの電源の立ち上がりに連動して前記電気機器Ｙ各々が自己の電源を自動的に立ち上げ，異常診断した後，該電気機器Ｙの電源が自動的に立ち下がるように処理されるため，該異常診断にかかる消費電力を最小限に抑制することができる。
【００２７】
なお，本実施の形態では，前記異常情報が，前記ＯＳＤ表示コマンドを用いて送信される場合を例に挙げて説明したが，これに限られず，例えば，前記電気機器Ｙが，前記異常情報を前記ＯＳＤ表示コマンドを用いずに前記テレビジョン受像機Ｘに通知し，該テレビジョン受像機Ｘにおいて前記制御回路６が，その通知された前記異常情報を前記映像表示部５に表示するように処理する構成であってもかまわない。また，複数の前記電気機器Ｙから異常情報が受信された場合には，前記制御回路２４が，その複数の異常情報に基づいて表示画面を生成してから前記映像表示部５に表示するように処理することも他の実施例として考えられる。
また，前述した構成では，前記電気機器Ｙ各々において，前記テレビジョン受像機Ｘの電源の立ち上がりのたびに前記異常診断処理（図２のフローチャート参照）が実行されるが，予め前記異常診断処理の実行の要否や，前記異常診断処理の実行頻度などを設定することができるように構成しておくことも他の実施例として考えられる。これにより，例えば，防犯カメラなどの重要な映像を記録する電気機器Ｙの前記異常診断処理は頻繁に行うように設定し，その他の電気機器Ｙは前記異常診断処理の実行を無効，或いはその実行頻度を下げるように設定することが可能となる。
【００２８】
なお，図１に示した前記映像表示システムＺは，前記テレビジョン受像機Ｘと前記電気機器Ｙとが，前記ＨＤＭＩインターフェースＷにより直接的に接続された構成を示したが，本発明の実施形態はこれに限るものではない。
例えば，前記テレビジョン受像機ＸとＳＴＢ（セットトップボックス）とが前記ＨＤＭＩインターフェースＷにより接続され，そのＳＴＢと前記電気機器ＹとがさらにＨＤＭＩインターフェースＷにより接続された構成（間接的に接続された構成）も考えられる。
【図面の簡単な説明】
【００２９】
【図１】本発明の実施の形態に係る映像表示システムの概略構成を示すブロック図。
【図２】本発明の実施の形態に係る電気機器において実行される異常診断処理の手順の一例を説明するためのフローチャート。
【図３】異常診断処理によって表示される診断結果の表示例を示す図。
【符号の説明】
【００３０】
Ｘ…テレビジョン受像機（映像表示装置の一例）
Ｙ…電気機器（電気機器の一例）
Ｚ…映像表示システム
１，２１…チューナ
２ｘａ，２ｙａ…ＨＤＭＩ受信部
２ｘｂ，２５ｂ…ＣＥＣインターフェース
３…映像切替回路
４…映像処理回路
５…映像表示部
６，２４…制御回路
７，２６…リモコンインターフェース回路
８，２７…リモコン
９，２８…サブＭＰＵ
１０…音声切替回路
１１…音声処理回路
１２…アンプ
１３…スピーカ
２２…録画・再生回路
２３…ＨＤＤ
２５ａ…ＨＤＭＩ送信部
４０…ＨＤＭＩケーブル
４１…ＴＭＤＳライン
４２…ＣＥＣライン
【図１】
2008092132.tif 000003
【図２】
2008092132.tif 000004
【図３】
2008092132.tif 000005